(57)【特許請求の範囲】
【請求項１】
ビデオ再生装置と、このビデオ再生装置に接続されたビデオ送信機と、このビデオ送信機と無線送受信できるように構成されたビデオ受信機と、このビデオ受信機及び前記ビデオ送信機を介して前記ビデオ再生装置を操作する赤外線リモコン送信機とからなり、
前記ビデオ送信機は、前記ビデオ再生装置から出力されたビデオ信号を高周波ビデオ信号に変換して前記ビデオ受信機へ送信するビデオ送信回路部と、前記ビデオ受信機からの高周波リモコン信号を受信してもとのリモコン信号に変換するリモコン受信回路部と、前記リモコン信号を電気信号から赤外線信号に変換して前記ビデオ再生装置に送信する発光回路部とを備え、
前記ビデオ受信機は、前記ビデオ送信機からの前記高周波ビデオ信号を受信して映像信号及び音声信号に変換して出力するビデオ受信回路部と、前記赤外線リモコン送信機からの赤外線信号を電気信号であるリモコン信号に変換する受光回路部と、前記リモコン信号を高周波リモコン信号に変換して前記ビデオ送信機へ送信するリモコン送信回路部とを備えたビデオ無線送受信システムにおいて、
前記赤外線リモコン送信機は、前記ビデオ再生装置に係わる機能データを含む第１のリモコン信号を発生し、
前記ビデオ受信機は、前記第１のリモコン信号に含まれる機能データを前記ビデオ再生装置の異なる機種に共通な共通機能コードに変換する共通機能コード発生回路部と、前記ビデオ再生装置の機種別に割り当てられた機種コードを設定する機種コード設定回路部と、前記機種コード及び共通機能コードを含む第２のリモコン信号を発生し前記リモコン送信回路部に入力する第２のリモコン信号発生回路部とを備え、
前記ビデオ送信機は、前記機種コード及び共通機能コードに対応する前記ビデオ再生装置を操作するためのリモコンデータがメモリされたメモリ回路部と、前記リモコン受信回路部からの第２のリモコン信号に含まれる前記機種コード及び共通機能コードに該当するリモコンデータを前記メモリ回路部から読み出して第３のリモコン信号を発生し前記発光回路部に入力する第３のリモコン信号発生回路部とを備えたことを特徴とするビデオ無線送受信システム。
【請求項２】
前記第２のリモコン信号に含まれる前記共通機能コードのデータ長は、前記第１のリモコン信号に含まれる前記機能データのデータ長よりも短く設定されていることを特徴とする請求項１記載のビデオ無線送受信システム。
【請求項３】
前記ビデオ受信機において、前記機能データが同じである前記第１のリモコン信号を繰り返し連続して受信した場合に、前記第２のリモコン信号発生回路部は、繰り返しオンデータを前記第２のリモコン信号に付加して発生し、
前記ビデオ送信機において、前記繰り返しオンデータが付加された前記第２のリモコン信号を受信した場合に、前記第３のリモコン信号発生回路部は、前記第２のリモコン信号に含まれる前記機種コード及び共通機能コードに該当する前記第３のリモコン信号を規定時間間隔で繰り返し発生することを特徴とする請求項１または２に記載のビデオ無線送受信システム。
【請求項４】
前記ビデオ受信機において、前記機能データが同じである前記第１のリモコン信号を繰り返し連続して受信しなくなった場合に、前記第２のリモコン信号発生回路部は、繰り返しオフデータを前記第２のリモコン信号に付加して発生し、
前記ビデオ送信機において、前記繰り返しオフデータが付加された前記第２のリモコン信号を受信した場合に、前記第３のリモコン信号発生回路部は、前記第３のリモコン信号を規定時間間隔で繰り返し発生する動作を停止することを特徴とする請求項３記載のビデオ無線送受信システム。
【請求項５】
前記ビデオ受信機において、前記第１のリモコン信号を受信していない場合に、前記第２のリモコン信号発生回路部は、リモコンオフデータを前記第２のリモコン信号に付加して発生し、
前記ビデオ送信機において、前記リモコンオフデータが付加された前記第２のリモコン信号を受信した場合に、前記第３のリモコン信号発生回路部は、前記第３のリモコン信号を発生する動作を停止することを特徴とする請求項１から４までのいずれか１項に記載のビデオ無線送受信システム。
【請求項６】
前記ビデオ受信機において、前記第１のリモコン信号を受信していない場合に、前記第２のリモコン信号発生回路部は、リモコンオフデータを付加した前記第２のリモコン信号を規定時間間隔で繰り返して発生することを特徴とする請求項５記載のビデオ無線送受信システム。
【発明の詳細な説明】
【０００１】
【発明の属する技術分野】
本発明は、ビデオ信号を無線で送信するためのビデオ送信機と、前記無線で送信されたビデオ信号を受信するビデオ受信機とからなるビデオ無線送受信システムに関するものである。
【０００２】
【従来の技術】
図７は、従来のビデオ無線通信システムの概略的構成を示すブロック回路図である。図７の従来のビデオ無線通信システム５０は、以下の回路構成からなる。ビデオ無線通信システム５０は、ビデオ再生装置５２、ビデオ送信機６０、ビデオ受信機７０及び赤外線リモコン送信機５４とからなる。
【０００３】
そして、ビデオ送信機６０は、ビデオ送信回路部６１、アンテナ６２、リモコン受信回路部６３及び発光回路部６４からなる。ビデオ再生装置５２は、ビデオ送信回路部６１の入力に接続され、ビデオ送信回路部６１の出力はアンテナ６２に接続されている。また、アンテナ６２は、リモコン受信回路部６３の入力に接続され、リモコン受信回路部６３の出力は発光回路部６４に接続されている。
【０００４】
ビデオ受信機７０は、アンテナ７１、ビデオ受信回路部７２、受光回路部７３及びリモコン送信回路部７４からなる。アンテナ７１はビデオ受信回路部７２の入力に接続され、受光回路部７３はリモコン送信回路部７４の入力に接続され、リモコン送信回路部７４の出力はアンテナ７１に接続されている。
【０００５】
次に、図７の従来のビデオ無線通信システム５０の動作について説明する。ビデオ再生装置５２から出力されたビデオ信号は、ビデオ送信回路部６１により高周波ビデオ信号ＲＦａに変換されて、アンテナ６２からビデオ受信機７０へ送信される。
【０００６】
また、アンテナ６２から受信した高周波リモコン信号ＲＦｂは、リモコン受信回路部６３によりもとのリモコン信号に変換される。このリモコン信号は、発光回路部６４により電気信号から赤外線信号に変換され、この赤外線信号は、ビデオ再生装置５２の図示しないリモコン受光回路部に入力される。
【０００７】
ビデオ受信機７０において、ビデオ送信機６０から送信された高周波ビデオ信号ＲＦａをアンテナ７１で受信する。受信した高周波ビデオ信号ＲＦａはビデオ受信回路部７２によりもとのビデオ信号に変換される。
【０００８】
また、赤外線リモコン送信機５４からの赤外線信号は、受光回路部７３により電気信号であるリモコン信号に変換され、このリモコン信号は、リモコン送信回路部７４により高周波リモコン信号ＲＦｂに変換され、アンテナ７１よりビデオ送信機６０に送信される。
【０００９】
上述のように、ビデオ受信機７０のビデオ受信回路部７２の出力側に例えばテレビジョン受信機５３を接続することにより、ビデオ送信機６０から送信されたビデオ再生装置５２からの映像及び音声をテレビジョン受信機５３で視聴することができる。また、赤外線リモコン送信機５４からの赤外線信号は、受光回路部７３→リモコン送信回路部７４→アンテナ７１→アンテナ６２→リモコン受信回路部６３→発光回路部６４→ビデオ再生装置５２の図示しないリモコン受光回路部の経路で伝達され、赤外線リモコン送信機５４により離れた場所に設置されたビデオ再生装置５２を制御することができる。
【００１０】
【発明が解決しようとする課題】
しかしながら、上記従来技術では、以下に述べるような問題があった。すなわち、例えば、ビデオ再生装置５２を機種・メーカーが異なるものに変更した場合、ビデオ再生装置５２を操作するためには、それぞれのビデオ再生装置５２専用の赤外線リモコン送信機５４を必要とし、操作するビデオ再生装置５２を異なるものに変更するたびに、赤外線リモコン送信機５４も併せて変更しなけらばならないため非常に不便であった。
【００１１】
また、ビデオ送信機６０とビデオ受信機７０とは離れた場所に設置されているため、ビデオ再生装置５２専用の赤外線リモコン送信機５４を必要とすることから、ビデオ受信機７０側にいる使用者は、ビデオ送信機６０に接続されているビデオ再生装置５２を覚えておかなければならないという煩わしさがあった。
【００１２】
また、ビデオ送信機６０の発光回路部６４及びビデオ再生装置５２の図示しないリモコン受光回路部の相互位置関係が不適切な場合、設置時は赤外線信号が正常に伝達されていても、周囲環境（例えば、温度、周囲の照明や太陽光など）の変化により、発光回路部６４からの赤外線信号がビデオ再生装置５２の図示しないリモコン受光回路部に確実に伝達されなくなることが生じることがあった。
【００１３】
そして、ビデオ送信機６０とビデオ受信機７０とは離れた場所に設置されているため、ビデオ受信機７０側にいる使用者は、前記周囲環境変化に気づかないことが多い。この場合に前記赤外線信号の一部が欠落するなどして、例えば、赤外線リモコン送信機５４から連続して赤外線信号を送信する順送り及び逆送り選局操作などで、連続して選局しないといった問題があった。
【００１４】
本発明は、上記のような課題を解決するためになされたものであって、ビデオ送信機６０に種々の異なるビデオ再生装置５２を接続し、このビデオ再生装置５２を赤外線リモコン送信機５４で操作する場合の操作性を向上させるとともに、操作にともなう上記問題を解消させたビデオ無線送受信システムを提供することを目的とする。
【００１５】
【課題を解決するための手段】
上記課題を解決するため、本発明は、ビデオ再生装置と、このビデオ再生装置に接続されたビデオ送信機と、このビデオ送信機と無線送受信できるように構成されたビデオ受信機と、このビデオ受信機及び前記ビデオ送信機を介して前記ビデオ再生装置を操作する赤外線リモコン送信機とからなり、前記ビデオ送信機は、前記ビデオ再生装置から出力されたビデオ信号を高周波ビデオ信号に変換して前記ビデオ受信機へ送信するビデオ送信回路部と、前記ビデオ受信機からの高周波リモコン信号を受信してもとのリモコン信号に変換するリモコン受信回路部と、前記リモコン信号を電気信号から赤外線信号に変換して前記ビデオ再生装置に送信する発光回路部とを備え、前記ビデオ受信機は、前記ビデオ送信機からの前記高周波ビデオ信号を受信して映像信号及び音声信号に変換して出力するビデオ受信回路部と、前記赤外線リモコン送信機からの赤外線信号を電気信号であるリモコン信号に変換する受光回路部と、前記リモコン信号を高周波リモコン信号に変換して前記ビデオ送信機へ送信するリモコン送信回路部とを備えたビデオ無線送受信システムにおいて、
前記赤外線リモコン送信機は、前記ビデオ再生装置に係わる機能データを含む第１のリモコン信号を発生し、前記ビデオ受信機は、前記第１のリモコン信号に含まれる機能データを前記ビデオ再生装置の異なる機種に共通な共通機能コードに変換する共通機能コード発生回路部と、前記ビデオ再生装置の機種別に割り当てられた機種コードを設定する機種コード設定回路部と、前記機種コード及び共通機能コードを含む第２のリモコン信号を発生し前記リモコン送信回路部に入力する第２のリモコン信号発生回路部とを備え、前記ビデオ送信機は、前記機種コード及び共通機能コードに対応する前記ビデオ再生装置を操作するためのリモコンデータがメモリされたメモリ回路部と、前記リモコン受信回路部からの第２のリモコン信号に含まれる前記機種コード及び共通機能コードに該当するリモコンデータを前記メモリ回路部から読み出して第３のリモコン信号を発生し前記発光回路部に入力する第３のリモコン信号発生回路部とを備えたことを特徴とするものである。
【００１６】
また、本発明は、前記第２のリモコン信号に含まれる前記共通機能コードのデータ長は、前記第１のリモコン信号に含まれる前記機能データのデータ長よりも短く設定されていることを特徴とするものである。
【００１７】
また、本発明は、前記ビデオ受信機において、前記機能データが同じである前記第１のリモコン信号を繰り返し連続して受信した場合に、前記第２のリモコン信号発生回路部は、繰り返しオンデータを前記第２のリモコン信号に付加して発生し、前記ビデオ送信機において、前記繰り返しオンデータが付加された前記第２のリモコン信号を受信した場合に、前記第３のリモコン信号発生回路部は、前記第２のリモコン信号に含まれる前記機種コード及び共通機能コードに該当する前記第３のリモコン信号を規定時間間隔で繰り返し発生することを特徴とするものである。
【００１８】
また、本発明は、前記ビデオ受信機において、前記機能データが同じである前記第１のリモコン信号を繰り返し連続して受信しなくなった場合に、前記第２のリモコン信号発生回路部は、繰り返しオフデータを前記第２のリモコン信号に付加して発生し、前記ビデオ送信機において、前記繰り返しオフデータが付加された前記第２のリモコン信号を受信した場合に、前記第３のリモコン信号発生回路部は、前記第３のリモコン信号を規定時間間隔で繰り返し発生する動作を停止することを特徴とするものである。
【００１９】
また、本発明は、前記ビデオ受信機において、前記第１のリモコン信号を受信していない場合に、前記第２のリモコン信号発生回路部は、リモコンオフデータを前記第２のリモコン信号に付加して発生し、前記ビデオ送信機において、前記リモコンオフデータが付加された前記第２のリモコン信号を受信した場合に、前記第３のリモコン信号発生回路部は、前記第３のリモコン信号を発生する動作を停止することを特徴とするものである。
【００２０】
また、本発明は、前記ビデオ受信機において、前記第１のリモコン信号を受信していない場合に、前記第２のリモコン信号発生回路部は、リモコンオフデータを付加した前記第２のリモコン信号を規定時間間隔で繰り返して発生することを特徴とするものである。
【００２１】
【発明の実施の形態】
図１は、本発明の第実施形態に係わるビデオ無線送受信システムの概略的構成を示すブロック回路図であり、図２は、本発明の実施形態に係わるビデオ無線送受信システムにおける、ビデオ受信機の機種コード設定回路部の一実施例を示す回路図であり、図３は、本発明の実施形態に係わるビデオ無線送受信システムの第１のリモコン信号、共通機能コード及び第２のリモコン信号の一実施例を示す図であり、図４は、本発明の実施形態に係わるビデオ無線送受信システムにおける、ビデオ送信機のメモリ回路部のメモリ内容の様子を示す図であり、図５は、本発明の実施形態に係わるビデオ無線送受信システムにおける、ビデオ受信機の第２のリモコン信号発生回路部の動作を説明するフローチャート図であり、図６は、本発明の実施形態に係わるビデオ無線送受信システムにおける、ビデオ送信機の第３のリモコン信号発生回路部の動作を説明するフローチャート図である。以下、本発明の実施形態について、図１から図６を参照して説明する。
【００２２】
図１は、本実施形態のビデオ無線送受信システム１の概略的構成を示すブロック回路図である。図１の本実施形態のビデオ無線送受信システム１は、以下の回路構成からなる。ビデオ無線通信システム１は、ビデオ再生装置２、ビデオ送信機１０、ビデオ受信機２０及び赤外線リモコン送信機４とからなる。
【００２３】
そして、ビデオ送信機１０は、ビデオ送信回路部１１、アンテナ１２、リモコン受信回路部１３、発光回路部１４、第３のリモコン信号発生回路部１５及びメモリ回路部１６からなる。ビデオ再生装置２は、ビデオ送信回路部１１の入力に接続され、ビデオ送信回路部１１の出力はアンテナ１２に接続されている。また、アンテナ１２はリモコン受信回路部１３の入力に接続され、リモコン受信回路部１３の出力は第３のリモコン信号発生回路部１５の入力に接続され、第３のリモコン信号発生回路部１５の出力は発光回路部１４に接続されている。また、第３のリモコン信号発生回路部１５には、メモリ回路部１６が接続されている。
【００２４】
ビデオ受信機２０は、アンテナ２１、ビデオ受信回路部２２、受光回路部２３、リモコン送信回路部２４、共通機能コード発生回路部２５、第２のリモコン信号発生回路部２６及び機種コード設定回路部３０からなる。アンテナ２１はビデオ受信回路部２２の入力に接続され、受光回路部２３は共通機能コード発生回路部２５の入力に接続され、共通機能コード発生回路部２５の出力は第２のリモコン信号発生回路部２６の入力に接続され、第２のリモコン信号発生回路部２６の出力はリモコン送信回路部２４の入力に接続され、リモコン送信回路部２４の出力はアンテナ２１に接続されている。また、第２のリモコン信号発生回路部２６には、機種コード設定回路部３０が接続されている。
【００２５】
次に、図1の本実施形態のビデオ無線送受信システム１の動作について説明する。ビデオ再生装置２から出力されたビデオ信号は、ビデオ送信機１０において、ビデオ送信回路部１１により高周波ビデオ信号ＲＦａに変換されて、アンテナ１２からビデオ受信機２０へ送信される。そして、ビデオ受信機２０において、ビデオ送信機１０から送信された高周波ビデオ信号ＲＦａをアンテナ２１で受信する。受信した高周波ビデオ信号ＲＦａはビデオ受信回路部２２によりもとのビデオ信号に変換される。
【００２６】
また、赤外線リモコン送信機４は、ビデオ再生装置２に係わる機能データを含む第１のリモコン信号を発生し、ビデオ受信機２０において、赤外線リモコン送信機４からの赤外線信号は、受光回路部２３により電気信号である第１のリモコン信号に変換され、第１のリモコン信号は、共通機能コード発生回路部２５により、第１のリモコン信号に含まれる機能データをビデオ再生装置２の異なる機種に共通な共通機能コードに変換される。
【００２７】
また、機種コード設定回路部３０は、ビデオ再生装置２の機種別に割り当てられた機種コードを設定し、第２のリモコン信号発生回路部２６に入力する。第２のリモコン信号発生回路部２６は、前記機種コード及び共通機能コードを含む第２のリモコン信号を発生しリモコン送信回路部２４に入力する。第２のリモコン信号は、リモコン送信回路部２４により高周波リモコン信号ＲＦｂに変換され、アンテナ２１よりビデオ送信機１０に送信される。
【００２８】
ビデオ送信機１０において、アンテナ１２から受信した高周波リモコン信号ＲＦｂは、リモコン受信回路部１３によりもとの第２のリモコン信号に変換され、第３のリモコン信号発生回路部１５に入力される。また、メモリ回路部１６には、前記機種コード及び共通機能コードに対応するビデオ再生装置２を操作するためのリモコンデータがメモリされている。
【００２９】
第３のリモコン信号発生回路部１５は、前記第２のリモコン信号に含まれる前記機種コード及び共通機能コードに該当するリモコンデータをメモリ回路部１６から読み出して第３のリモコン信号を発生し発光回路部１４に入力する。そして、第３のリモコン信号は、発光回路部１４により電気信号から赤外線信号に変換され、この赤外線信号は、ビデオ再生装置２の図示しないリモコン受光回路部に入力される。
【００３０】
上述のように、ビデオ受信機２０のビデオ受信回路部２２の出力側に例えばテレビジョン受信機３を接続することにより、ビデオ送信機１０から送信されたビデオ再生装置２からの映像及び音声をテレビジョン受信機３で視聴することができる。
【００３１】
また、赤外線リモコン送信機４からの赤外線信号は、受光回路部２３→共通機能コード発生回路部２５→第２のリモコン信号発生回路部２６→リモコン送信回路部２４→アンテナ２１→アンテナ１２→リモコン受信回路部１３→第３のリモコン信号発生回路部１５→発光回路部１４→ビデオ再生装置２の図示しないリモコン受光回路部の経路で伝達され、赤外線リモコン送信機４により離れた場所に設置されたビデオ再生装置２を制御することができる。
【００３２】
また、上記経路において、赤外線リモコン送信機４から発生したビデオ再生装置２に係わる機能データを含む第１のリモコン信号は、第１のリモコン信号→共通機能コード→第２のリモコン信号（共通機能コード＋機種コード）→第３のリモコン信号（ビデオ再生装置２を操作するためのリモコンデータ）と変換されることにより、異なるビデオ再生装置２に対して、赤外線リモコン送信機４を共通化することができる。
【００３３】
図２は、本発明の実施形態に係わるビデオ無線送受信システム１における、ビデオ受信機２０の機種コード設定回路部３０の一実施例を示す回路図である。機種コード設定回路部３０は、例えば、抵抗３１ａ，３１ｂ，３１ｃ，３１ｄ，３１ｅ，３１ｆ及びスイッチ回路３２ａ，３２ｂ，３２ｃ，３２ｄ，３２ｅ，３２ｆから構成されている。また、第２のリモコン信号発生回路部２６は、例えばマイクロコンピュータで構成され、機種コード設定回路部３０は、前記マイクロコンピュータの入力ポートＰ０からＰ５に接続されている。
【００３４】
機種コード設定回路部３０において、スイッチ回路３２ａはマイクロコンピュータの入力ポートＰ０とアース間に接続され、スイッチ回路３２ａと入力ポートＰ０との接続点と電源（＋Ｂ）間に抵抗３１ａが接続されている。また、スイッチ回路３２ｂはマイクロコンピュータの入力ポートＰ１とアース間に接続され、スイッチ回路３２ｂと入力ポートＰ１との接続点と電源（＋Ｂ）間に抵抗３１ｂが接続されている。また、スイッチ回路３２ｃはマイクロコンピュータの入力ポートＰ２とアース間に接続され、スイッチ回路３２ｃと入力ポートＰ２との接続点と電源（＋Ｂ）間に抵抗３１ｃが接続されている。
【００３５】
また、スイッチ回路３２ｄはマイクロコンピュータの入力ポートＰ３とアース間に接続され、スイッチ回路３２ｄと入力ポートＰ３との接続点と電源（＋Ｂ）間に抵抗３１ｄが接続されている。また、スイッチ回路３２ｅはマイクロコンピュータの入力ポートＰ４とアース間に接続され、スイッチ回路３２ｅと入力ポートＰ４との接続点と電源（＋Ｂ）間に抵抗３１ｅが接続されている。また、スイッチ回路３２ｆはマイクロコンピュータの入力ポートＰ５とアース間に接続され、スイッチ回路３２ｆと入力ポートＰ５との接続点と電源（＋Ｂ）間に抵抗３１ｆが接続されている。
【００３６】
そして、抵抗３１ａ，３１ｂ，３１ｃ，３１ｄ，３１ｅ，３１ｆ及びスイッチ回路３２ａ，３２ｂ，３２ｃ，３２ｄ，３２ｅ，３２ｆを上記の接続とすることにより、例えば、スイッチ回路３２ａをオンすると入力ポートＰ０は「Ｌ」に設定され、スイッチ回路３２ａをオフすると入力ポートＰ０は「Ｈ」に設定される。また、スイッチ回路３２ｂ，３２ｃ，３２ｄ，３２ｅ，３２ｆについても同様に、入力ポートＰ１，Ｐ２，Ｐ３，Ｐ４，Ｐ５のそれぞれについて、「Ｌ」または「Ｈ」の２通りに設定される。すなわち、６つのスイッチ回路３２ａ，３２ｂ，３２ｃ，３２ｄ，３２ｅ，３２ｆそれぞれについて、２通りに設定することにより、６４通りの機種コードの設定ができる。
【００３７】
また、図２は、６つのスイッチ回路を用いて機種コードを６４通りに設定する場合について示したが、これに限定するものではなく、機種コードの設定数に合わせて変更してもよい。また、スイッチ回路３２ａをマイクロコンピュータの入力ポートＰ０と電源（＋Ｂ）間に接続し、スイッチ回路３２ａと入力ポートＰ０との接続点とアース間に抵抗３１ａを接続してもよい。また、抵抗３１ｂ，３１ｃ，３１ｄ，３１ｅ，３１ｆ及びスイッチ回路３２ｂ，３２ｃ，３２ｄ，３２ｅ，３２ｆのそれぞれについても同様である。
【００３８】
図３は、本発明の実施形態に係わるビデオ無線送受信システム１の第１のリモコン信号、共通機能コード及び第２のリモコン信号の一実施例を示す図である。
【００３９】
図３（ａ）は、赤外線リモコン送信機４から発生される第１のリモコン信号の一実施例を示す図である。前記第１のリモコン信号は、例えば、システムデータ、機能データ、拡張データ及び判定データから構成される。
【００４０】
システムデータ（Ｄ１からＤ５まで）は、リモコン操作対象機器ごとに定められており、赤外線リモコン送信機４には、リモコン操作対象機器としてビデオ送信機１０に割り当てられたシステムデータが設定されている。
【００４１】
機能データ（Ｄ６からＤ１１まで）は、リモコン操作機能ごとに定められており、リモコン操作機能としては、後述する図３（ｂ）に示すように停止、巻戻し、早送り、再生、選局などがある。
【００４２】
拡張データ（Ｄ１２，Ｄ１３）は、リモコン操作機能が増えて、前記機能データで対応できなくなった場合の予備のデータである。
【００４３】
判定データ（Ｄ１４，Ｄ１５）は、前記システムデータ、機能データ及び拡張データを正信号と裏信号を対にして送信する場合に、受信側で正信号か裏信号かを判定できるようにするためのものである。
【００４４】
図３（ｂ）は、ビデオ受信機２０の共通機能コード発生回路部２５から発生される共通機能コードの一実施例を示す図である。図３（ｂ）では、図３（ａ）で述べた機能データ（Ｄ６からＤ１１まで）のうち、ビデオ再生装置２に係わる１１の機能について、共通機能コード（Ｃ３，Ｃ２．Ｃ１，Ｃ０）に変換されている。
【００４５】
また、ビデオ再生装置２に係わる１１の機能としては、例えば、頭出し「次」、頭出し「前」、停止、巻戻し、早送り、一次停止、再生、選局「逆」、選局「順」、入力切替、電源がある。また、ビデオ再生装置２に係わる前記１１の機能のほかに、後述する「リモコンオフ」機能がある。
【００４６】
図３（ｃ）は、ビデオ受信機２０の第２のリモコン信号発生回路部２６から発生される第２のリモコン信号の一実施例を示す図である。前記第２のリモコン信号は、例えば、図２の機種コード設定回路部３０によって設定された前記機種コードを含むＤＡＴＡ１と、共通機能コード発生回路部２５から発生される図３（ｂ）で示す共通機能コードを含むＤＡＴＡ２から構成されている。
【００４７】
そして、前記第２のリモコン信号に含まれる前記共通機能コードのデータ長（４ビット）は、前記第１のリモコン信号に含まれる前記機能データのデータ長（６ビット）よりも短く設定されている。
【００４８】
また、ビデオ受信機２０において、前記機能データが同じである前記第１のリモコン信号を繰り返し連続して受信した場合に、第２のリモコン信号発生回路部２６は、繰り返しオンデータを前記第２のリモコン信号に付加して発生する。図３（ｃ）では、例えば、ＤＡＴＡ１のＤ０を「１」に設定（Ｄ０＝１）している。
【００４９】
また、ビデオ受信機２０において、前記機能データが同じである前記第１のリモコン信号を繰り返し連続して受信しなくなった場合に、第２のリモコン信号発生回路部２６は、繰り返しオフデータを前記第２のリモコン信号に付加して発生する。図３（ｃ）では、例えば、ＤＡＴＡ１のＤ０を「０」に設定（Ｄ０＝０）している。
【００５０】
また、ビデオ受信機２０において、前記第１のリモコン信号を受信していない場合に、第２のリモコン信号発生回路部２６は、リモコンオフデータを前記第２のリモコン信号に付加して発生する。図３（ｃ）では、例えば、ＤＡＴＡ２に含まれる共通機能コードにおいて、図３（ｂ）で示す「リモコンオフ」の共通機能コード（４ビット全てゼロ）に設定している。
【００５１】
図４は、本発明の実施形態に係わるビデオ無線送受信システム１における、ビデオ送信機１０のメモリ回路部１６のメモリ内容の様子を示す図である。メモリ回路部１６には、例えば、図２の機種コード設定回路部３０によって設定された前記機種コード（００００００）から機種コード（１１１１１１）までの６４機種のビデオ再生装置それぞれにおいて、図３（ｂ）のビデオ再生装置２に係わる１１の機能（例えば、頭出し「次」、頭出し「前」、停止、巻戻し、早送り、一次停止、再生、選局「逆」、選局「順」、入力切替、電源）に該当するリモコンデータ（＊＊・・＊＊）がメモリされている。
【００５２】
図５は、本発明の実施形態に係わるビデオ無線送受信システム１における、ビデオ受信機２０の第２のリモコン信号発生回路部２６の動作を説明するフローチャート図である。第２のリモコン信号発生回路部２６は、例えばマイクロコンピュータで構成される。図５を用いて、第２のリモコン信号発生回路部２６がマイクロコンピュータで構成された場合における第２のリモコン信号発生回路部２６の動作について以下に説明する。
【００５３】
図５において、タイマｔはリモコンオフデータを規定時間（Ｔ１）間隔で繰り返して発生する場合の規定時間（Ｔ１）をカウントするために設けられたものである。
【００５４】
ステップＳ１において、タイマｔをリセット（ｔ＝０）した後、第１のリモコン信号を受信したか否か、すなわち、共通機能コード発生回路部２６から共通機能コードが入力されたか否かをチェックする。第１のリモコン信号を受信、すなわち、共通機能コードが入力されると、入力された共通機能コードをマイクロコンピュータ内の図示しないレジスタに格納した後ステップＳ２に移る。
【００５５】
ステップＳ２において、再び第１のリモコン信号を受信したか否か、すなわち、共通機能コード発生回路部２６から共通機能コードが入力されたか否かをチェックする。第１のリモコン信号を受信、すなわち、共通機能コードが入力されると、タイマｔをリセット（ｔ＝０）した後ステップＳ３に移り、第１のリモコン信号を受信しない、すなわち、共通機能コードが入力されない場合は、ステップＳ５に移る。
【００５６】
ステップＳ３において、新しく受信した第１のリモコン信号の共通機能コードが、前記レジスタに格納されている先に受信した共通機能コードと同じか否かをチェックする。同じであれば、繰り返しオフデータを前記第２のリモコン信号に付加する。例えば、図３（ｃ）のＤＡＴＡ１のＤ０を「０」に設定（Ｄ０＝０）した後、ステップＳ４に移る。また、異なっていれば、繰り返しオンデータを前記第２のリモコン信号に付加する。例えば、図３（ｃ）のＤＡＴＡ１のＤ０を「１」に設定（Ｄ０＝１）した後、前記レジスタの内容を新しく受信した第１のリモコン信号の共通機能コードに更新して、ステップＳ４に移る。
【００５７】
ステップＳ４において、前記レジスタから前記共通機能コードを読み出して、ステップＳ６に移る。
【００５８】
ステップＳ５において、タイマｔをインクリメント（ｔ＝ｔ＋１）した後、タイマｔが、規定時間（Ｔ１）をカウントしたか（ｔ≧Ｔ１）か否かをチェックする。タイマｔが、規定時間（Ｔ１）をカウントしていないならば、ステップＳ２に戻り、タイマｔが、規定時間（Ｔ１）をカウントしたならば、タイマｔをリセット（ｔ＝０）した後、リモコンオフデータを前記第２のリモコン信号に付加する。例えば、図３（ｃ）のＤＡＴＡ２に含まれる共通機能コードにおいて、図３（ｂ）で示す「リモコンオフ」の共通機能コード（４ビット全てゼロ）に設定して、ステップＳ６に移る。
【００５９】
ステップＳ６において、機種コード設定回路部３０から機種コードを読み出し、前記共通機能コード及び機種コードを含んだ第２のリモコン信号を発生した後、ステップＳ２に戻る。
【００６０】
上述のように、ビデオ受信機２０の第２のリモコン信号発生回路部２６は、機種コード設定回路部３０により設定された機種コードと、共通機能コード発生回路部２５からの共通機能コードとを含む第２のリモコン信号を発生する。
【００６１】
また、第２のリモコン信号発生回路部２６は、前記機能データが同じである前記第１のリモコン信号を繰り返し連続して受信した場合に、繰り返しオンデータを前記第２のリモコン信号に付加して発生し、前記機能データが同じである前記第１のリモコン信号を繰り返し連続して受信しなくなった場合に、繰り返しオフデータを前記第２のリモコン信号に付加して発生する。
【００６２】
また、第２のリモコン信号発生回路部２６は、前記第１のリモコン信号を受信していない場合に、リモコンオフデータを付加した前記第２のリモコン信号を規定時間間隔で繰り返して発生する。
【００６３】
図６は、本発明の実施形態に係わるビデオ無線送受信システム１における、ビデオ送信機１０の第３のリモコン信号発生回路部１５の動作を説明するフローチャート図である。第３のリモコン信号発生回路部１５は、例えばマイクロコンピュータで構成される。図６を用いて、第３のリモコン信号発生回路部１５がマイクロコンピュータで構成された場合における第３のリモコン信号発生回路部１５の動作について以下に説明する。
【００６４】
図６において、タイマｔは第３のリモコン信号を規定時間（Ｔ２）間隔で繰り返して発生する場合の規定時間（Ｔ２）をカウントするために設けられたものである。
【００６５】
ステップＳ１において、タイマｔをリセット（ｔ＝０）した後、第２のリモコン信号を受信したか否か、すなわち、リモコン受信回路部１３から第２のリモコン信号が入力されたか否かをチェックする。第２のリモコン信号を受信、すなわち、第２のリモコン信号が入力されると、ステップＳ２に移る。
【００６６】
ステップＳ２において、第２のリモコン信号に含まれる共通機能コードが、「リモコンオフ」（４ビット全てゼロ）であるか否かをチェックする。共通機能コードが、「リモコンオフ」（４ビット全てゼロ）であれば、ステップＳ７に移り、第３のリモコン信号を発生する動作を停止してステップＳ１に戻る。また、共通機能コードが、「リモコンオフ」（４ビット全てゼロ）でなければ、ステップＳ３に移る。
【００６７】
ステップＳ３において、第２のリモコン信号に含まれる図３（ｃ）のＤＡＴＡ１のＤ０が「１」に設定（Ｄ０＝１）されているか、すなわち、繰り返しオンデータが付加されているか否かをチェックする。ＤＡＴＡ１のＤ０が「１」に設定（Ｄ０＝１）されている、すなわち、繰り返しオンデータが付加されていれば、ステップＳ４に移る。
【００６８】
また、ＤＡＴＡ１のＤ０が「１」に設定されていない、言いかえればＤＡＴＡ１のＤ０が「０」に設定（Ｄ０＝０）されている、すなわち、繰り返しオフデータが付加されていれば、ステップＳ８に移り、第２のリモコン信号に含まれる前記共通機能コード及び機種コードに該当するリモコンデータをメモリ回路部１６から読み出して第３のリモコン信号として発生させた後、ステップＳ１に戻る。
【００６９】
ステップＳ４において、タイマｔをインクリメント（ｔ＝ｔ＋１）した後、タイマｔが、規定時間（Ｔ２）をカウントしたか（ｔ≧Ｔ２）か否かをチェックする。タイマｔが、規定時間（Ｔ２）をカウントしていないならば、ステップＳ５に移り、タイマｔが、規定時間（Ｔ２）をカウントしたならば、ステップＳ６に移り、タイマｔをリセット（ｔ＝０）した後、第２のリモコン信号に含まれる前記共通機能コード及び機種コードに該当するリモコンデータをメモリ回路部１６から読み出して第３のリモコン信号として発生させた後、ステップＳ４に戻る。
【００７０】
ステップＳ５において、リモコン受信回路部１３から第２のリモコン信号が入力されたか否かをチェックする。第２のリモコン信号を受信、すなわち、第２のリモコン信号が入力されると、タイマｔをリセット（ｔ＝０）した後、ステップＳ２に戻る。また、第２のリモコン信号を受信していない、すなわち、第２のリモコン信号が入力されていなければ、ステップＳ４に戻る。
【００７１】
上述のように、ビデオ送信機１０の第３のリモコン信号発生回路部１５は、リモコン受信回路部１３からの第２のリモコン信号に含まれる前記機種コード及び共通機能コードに該当するリモコンデータをメモリ回路部１６から読み出して第３のリモコン信号として発生する。
【００７２】
また、第３のリモコン信号発生回路部１５は、前記繰り返しオンデータが付加された前記第２のリモコン信号を受信した場合に、前記第２のリモコン信号に含まれる前記機種コード及び共通機能コードに該当する前記第３のリモコン信号を規定時間間隔で繰り返し発生する（ステップＳ４→ステップＳ５→ステップＳ４→ステップＳ６を繰り返えす）。
【００７３】
また、第３のリモコン信号発生回路部１５は、前記繰り返しオフデータが付加された前記第２のリモコン信号を受信した場合に、前記第３のリモコン信号を規定時間間隔で繰り返し発生する動作を停止する（ステップＳ５→ステップＳ２→ステップＳ３→ステップＳ８→ステップＳ１に戻り停止する）。
【００７４】
また、第３のリモコン信号発生回路部１５は、前記リモコンオフデータが付加された前記第２のリモコン信号を受信した場合に、前記第３のリモコン信号を発生する動作を停止する（ステップＳ２→ステップＳ７→ステップＳ１に戻り停止する）。
【００７５】
以上、本発明の実施の形態において、ビデオ再生装置２は、ビデオ信号を出力する装置であればよく、例えば、ビデオ、ＢＳチューナ、ＣＳチューナ、ＤＶＤなどがある。
【００７６】
また、図１の本発明の実施の形態において、第２のリモコン信号発生回路部２６及び機種コード設定回路部３０は、ビデオ受信機２０の共通機能コード発生回路部２５とリモコン送信回路部２４との間に配設されているが、ビデオ送信機１０のリモコン受信回路部１３と第３のリモコン信号発生回路部１５との間に配設してもよい。
【００７７】
また、図１の本発明の実施の形態において、第３のリモコン信号発生回路部１５及びメモリ回路部１６は、ビデオ送信機１０のリモコン受信回路部１３と発光回路部１４との間に配設されているが、ビデオ受信機２０の第２のリモコン信号発生回路部２６とリモコン送信回路部２４との間に配設してもよい。
【００７８】
【発明の効果】
以上のように、本発明は、ビデオ再生装置と、このビデオ再生装置に接続されたビデオ送信機と、このビデオ送信機と無線送受信できるように構成されたビデオ受信機と、このビデオ受信機及び前記ビデオ送信機を介して前記ビデオ再生装置を操作する赤外線リモコン送信機とからなり、前記ビデオ送信機は、前記ビデオ再生装置から出力されたビデオ信号を高周波ビデオ信号に変換して前記ビデオ受信機へ送信するビデオ送信回路部と、前記ビデオ受信機からの高周波リモコン信号を受信してもとのリモコン信号に変換するリモコン受信回路部と、前記リモコン信号を電気信号から赤外線信号に変換して前記ビデオ再生装置に送信する発光回路部とを備え、前記ビデオ受信機は、前記ビデオ送信機からの前記高周波ビデオ信号を受信して映像信号及び音声信号に変換して出力するビデオ受信回路部と、前記赤外線リモコン送信機からの赤外線信号を電気信号であるリモコン信号に変換する受光回路部と、前記リモコン信号を高周波リモコン信号に変換して前記ビデオ送信機へ送信するリモコン送信回路部とを備えたビデオ無線送受信システムにおいて、
前記赤外線リモコン送信機は、前記ビデオ再生装置に係わる機能データを含む第１のリモコン信号を発生し、前記ビデオ受信機は、前記第１のリモコン信号に含まれる機能データを前記ビデオ再生装置の異なる機種に共通な共通機能コードに変換する共通機能コード発生回路部と、前記ビデオ再生装置の機種別に割り当てられた機種コードを設定する機種コード設定回路部と、前記機種コード及び共通機能コードを含む第２のリモコン信号を発生し前記リモコン送信回路部に入力する第２のリモコン信号発生回路部とを備え、前記ビデオ送信機は、前記機種コード及び共通機能コードに対応する前記ビデオ再生装置を操作するためのリモコンデータがメモリされたメモリ回路部と、前記リモコン受信回路部からの第２のリモコン信号に含まれる前記機種コード及び共通機能コードに該当するリモコンデータを前記メモリ回路部から読み出して第３のリモコン信号を発生し前記発光回路部に入力する第３のリモコン信号発生回路部とを備えたことを特徴とするものである。
【００７９】
したがって、本発明によれば、ビデオ送信機に接続されるビデオ再生装置を機種・メーカーが異なるものに変更した場合でも、１台の赤外線リモコン送信機を用いて前記ビデオ再生装置を共通に操作できる。すなわち、従来のように、ビデオ再生装置を操作するのに、それぞれのビデオ再生装置専用の赤外線リモコン送信機を必要とするため、ビデオ送信機に接続されるビデオ再生装置を機種・メーカーが異なるものに変更するたびに、赤外線リモコン送信機も併せて変更しなけらばならないといった不便が解消できる。
【００８０】
さらに、ビデオ送信機とビデオ受信機とは離れた場所に設置されているため、ビデオ再生装置専用の赤外線リモコン送信機を必要とすることから、ビデオ受信機側にいる使用者は、ビデオ送信機に接続されているビデオ再生装置を覚えておかなければならないという煩わしさが解消できる。
【００８１】
また、本発明は、前記第２のリモコン信号に含まれる前記共通機能コードのデータ長は、前記第１のリモコン信号に含まれる前記機能データのデータ長よりも短く設定されていることを特徴とするものである。
【００８２】
したがって、本発明によれば、ビデオ受信機からビデオ送信機に送信するデータ長を短くすることにより、伝送時間が短縮され、ビデオ受信機からビデオ送信機へのデータ伝送経路の有効活用を図ることができる。
【００８３】
また、本発明は、前記ビデオ受信機において、前記機能データが同じである前記第１のリモコン信号を繰り返し連続して受信した場合に、前記第２のリモコン信号発生回路部は、繰り返しオンデータを前記第２のリモコン信号に付加して発生し、前記ビデオ送信機において、前記繰り返しオンデータが付加された前記第２のリモコン信号を受信した場合に、前記第３のリモコン信号発生回路部は、前記第２のリモコン信号に含まれる前記機種コード及び共通機能コードに該当する前記第３のリモコン信号を規定時間間隔で繰り返し発生することを特徴とするものである。
【００８４】
したがって、本発明によれば、ビデオ送信機の発光回路部及びビデオ再生装置のリモコン受光回路部の相互位置関係が不適切な場合、設置時は赤外線信号が正常に伝達されていても、周囲環境（例えば、温度、周囲の照明や太陽光など）の変化により、発光回路部からの赤外線信号がビデオ再生装置のリモコン受光回路部に確実に伝達されなくなることが生じた場合に、前記赤外線信号の一部が欠落するなどして、例えば、赤外線リモコン送信機から連続して赤外線信号を送信する順送り及び逆送り選局操作などで、連続して選局しないといった問題が解消できる。
【００８５】
また、本発明は、前記ビデオ受信機において、前記機能データが同じである前記第１のリモコン信号を繰り返し連続して受信しなくなった場合に、前記第２のリモコン信号発生回路部は、繰り返しオフデータを前記第２のリモコン信号に付加して発生し、前記ビデオ送信機において、前記繰り返しオフデータが付加された前記第２のリモコン信号を受信した場合に、前記第３のリモコン信号発生回路部は、前記第３のリモコン信号を規定時間間隔で繰り返し発生する動作を停止することを特徴とするものである。
【００８６】
したがって、本発明によれば、ビデオ送信機の発光回路部及びビデオ再生装置のリモコン受光回路部の相互位置関係が不適切な場合、設置時は赤外線信号が正常に伝達されていても、周囲環境（例えば、温度、周囲の照明や太陽光など）の変化により、発光回路部からの赤外線信号がビデオ再生装置のリモコン受光回路部に確実に伝達されなくなることが生じた場合に、前記赤外線信号の一部が欠落するなどして、例えば、前述の赤外線リモコン送信機から連続して赤外線信号を送信する順送り及び逆送り選局操作などを停止させたにもかかわらず停止しなくなる誤動作を解消することができる。
【００８７】
また、本発明は、前記ビデオ受信機において、前記第１のリモコン信号を受信していない場合に、前記第２のリモコン信号発生回路部は、リモコンオフデータを前記第２のリモコン信号に付加して発生し、前記ビデオ送信機において、前記リモコンオフデータが付加された前記第２のリモコン信号を受信した場合に、前記第３のリモコン信号発生回路部は、前記第３のリモコン信号を発生する動作を停止することを特徴とするものである。
【００８８】
したがって、本発明によれば、ビデオ送信機の発光回路部及びビデオ再生装置のリモコン受光回路部の相互位置関係が不適切な場合、設置時は赤外線信号が正常に伝達されていても、周囲環境（例えば、温度、周囲の照明や太陽光など）の変化により、発光回路部からの赤外線信号がビデオ再生装置のリモコン受光回路部に確実に伝達されなくなることが生じ、前記赤外線信号の一部が欠落することがあるが、ビデオ送信機側で前記赤外線信号が途切れた場合に、前記赤外線信号の一部が欠落したのか、赤外線信号の送信が停止されたのかを明確に判断できるため、発光回路部からの赤外線信号をビデオ再生装置のリモコン受光回路部へ確実に伝達することができる。
【００８９】
また、本発明は、前記ビデオ受信機において、前記第１のリモコン信号を受信していない場合に、前記第２のリモコン信号発生回路部は、リモコンオフデータを付加した前記第２のリモコン信号を規定時間間隔で繰り返して発生することを特徴とするものである。
【００９０】
したがって、本発明によれば、ビデオ送信機の発光回路部及びビデオ再生装置のリモコン受光回路部の相互位置関係が不適切な場合、設置時は赤外線信号が正常に伝達されていても、周囲環境（例えば、温度、周囲の照明や太陽光など）の変化により、発光回路部からの赤外線信号がビデオ再生装置のリモコン受光回路部に確実に伝達されなくなることが生じ、この場合に前記赤外線信号の一部が欠落することがあるが、ビデオ送信機側で前記赤外線信号が途切れた場合に、前記赤外線信号の一部が欠落したのか、赤外線信号の送信が停止したのかをさらに明確に判断できるため、発光回路部からの赤外線信号をビデオ再生装置のリモコン受光回路部へより確実に伝達することができる。
【図面の簡単な説明】
【図１】本発明の実施形態に係わるビデオ無線送受信システムの概略的構成を示すブロック回路図である。
【図２】本発明の実施形態に係わるビデオ無線送受信システムにおける、ビデオ受信機の機種コード設定回路部の一実施例を示す回路図である。
【図３】本発明の実施形態に係わるビデオ無線送受信システムの第１のリモコン信号、共通機能コード及び第２のリモコン信号の一実施例を示す図である。
【図４】本発明の実施形態に係わるビデオ無線送受信システムにおける、ビデオ送信機のメモリ回路部のメモリ内容の様子を示す図である。
【図５】本発明の実施形態に係わるビデオ無線送受信システムにおける、ビデオ受信機の第２のリモコン信号発生回路部の動作を説明するフローチャート図である。
【図６】本発明の実施形態に係わるビデオ無線送受信システムにおける、ビデオ送信機の第３のリモコン信号発生回路部の動作を説明するフローチャート図である。
【図７】従来のビデオ無線送受信システムの概略的構成を示すブロック回路図である。
【符号の説明】
１  ビデオ無線送受信システム
２  ビデオ再生装置
３  テレビジョン受信機
４  赤外線リモコン送信機
１０  ビデオ送信機
１１  ビデオ送信回路部
１２  アンテナ
１３  リモコン受信回路部
１４  発光回路部
１５  第３のリモコン信号発生回路部
１６  メモリ回路部
２０  ビデオ受信機
２１  アンテナ
２２  ビデオ受信回路部
２３  受光回路部
２４  リモコン送信回路部
２５  共通機能コード発生回路部
２６  第２のリモコン信号発生回路部
３０  機種コード設定回路部
３１  抵抗
３２  スイッチ回路
【図１】
0003878443.tif 000002
【図２】
0003878443.tif 000003
【図３】
0003878443.tif 000004
【図４】
0003878443.tif 000005
【図５】
0003878443.tif 000006
【図６】
0003878443.tif 000007
【図７】
0003878443.tif 000008